【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群と、負の屈折力の第２レンズ群と、正の屈折力の第３レンズ群と、負の屈折力の第４レンズ群と、正の屈折力の第５レンズ群から成り、ズーミングに際して隣り合うレンズ群の間隔が変化するズームレンズにおいて、
前記第４レンズ群は、光軸と垂直方向の成分を持つ方向に移動することによって結像位置を光軸に対して垂直方向に移動させる負の屈折力の部分群を有し、前記第１レンズ群の焦点距離をｆ１、前記第３レンズ群の焦点距離をｆ３とするとき
４．３＜ｆ１／ｆ３＜６．０
なる条件式を満足することを特徴とするズームレンズ。
【請求項２】
前記第４レンズ群に含まれる部分群の焦点距離をｆＩＳ、望遠端における全系の焦点距離をｆｔとするとき、
０．３＜｜ｆＩＳ／ｆｔ｜＜１．５
なる条件式を満足することを特徴とする請求項１に記載のズームレンズ。
【請求項３】
前記第２レンズ群の焦点距離をｆ２、望遠端における全系の焦点距離をｆｔとするとき、
０．１５＜｜ｆ２／ｆｔ｜＜０．４０
なる条件式を満足することを特徴とする請求項１又は２に記載のズームレンズ。
【請求項４】
広角端から望遠端へのズーミングに際して、前記第１レンズ群と前記第２レンズ群の間隔が増大し、前記第２レンズ群と前記第３レンズ群の間隔が減少し、前記第３レンズ群と前記第４レンズ群の間隔が増大し、前記第４レンズ群と前記第５レンズ群の間隔が減少するように各レンズ群が移動することを特徴とする請求項１乃至３のいずれか１項に記載のズームレンズ。
【請求項５】
前記第４レンズ群に含まれる部分群は、正レンズと負レンズを接合した接合レンズよりなることを特徴とする請求項１乃至４のいずれか１項に記載のズームレンズ。
【請求項６】
固体撮像素子に像を形成することを特徴とする請求項１乃至５のいずれか１項に記載のズームレンズ。
【請求項７】
請求項１乃至６のいずれか１項に記載のズームレンズと、該ズームレンズによって形成された像を受光する固体撮像素子とを有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に、正の屈折力の第１レンズ群と、負の屈折力の第２レンズ群と、正の屈折力の第３レンズ群と、負の屈折力の第４レンズ群と、正の屈折力の第５レンズ群から成り、ズーミングに際して隣り合うレンズ群の間隔が変化するズームレンズにおいて、
前記第４レンズ群は、光軸と垂直方向の成分を持つ方向に移動することによって結像位置を光軸に対して垂直方向に移動させる負の屈折力の部分群を有し、前記第１レンズ群の焦点距離をｆ１、前記第３レンズ群の焦点距離をｆ３とするとき
４．３＜ｆ１／ｆ３＜６．０
なる条件式を満足することを特徴としている。
【手続補正３】
【補正対象書類名】明細書
【補正対象項目名】００１２
【補正方法】変更
【補正の内容】
【００１２】
以下、本発明のズームレンズ及びそれを有する撮像装置の実施例について説明する。本発明のズームレンズは、物体側から像側へ順に、正の屈折力の第１レンズ群と、負の屈折力の第２レンズ群と、正の屈折力の第３レンズ群と、負の屈折力の第４レンズ群と、正の屈折力の第５レンズ群からなっている。そしてズーミングに際して隣り合うレンズ群の間隔が変化する。第４レンズ群は、光軸と垂直方向の成分を持つ方向に移動することによって結像位置を光軸に対して垂直方向に移動させる負の屈折力の部分群を有している。
【手続補正４】
【補正対象書類名】明細書
【補正対象項目名】００１６
【補正方法】変更
【補正の内容】
【００１６】
レンズ断面図において、左方が物体側（前方）で、右方が像側（後方）である。レンズ断面図において、ｉは物体側からレンズ群の順番を示し、Ｌｉは第ｉレンズ群である。図１、図４、図７のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。ここで、第４レンズ群Ｌ４は、光軸と垂直方向の成分を持つように移動して結像位置を移動させる負の屈折力の防振用の部分群（防振レンズ群）ＩＳを有している。
【手続補正５】
【補正対象書類名】明細書
【補正対象項目名】００２０
【補正方法】変更
【補正の内容】
【００２０】
フォーカスは第２レンズ群Ｌ２を光軸方向に移動させて行っている。尚、フォーカスはズームレンズ全体又は任意の１つのレンズ群を移動させて行っても良い。各実施例において第４レンズ群Ｌ４の全部又は一部のレンズ群より防振用の部分群ＩＳを構成している。そして部分群ＩＳは、光軸と垂直方向の成分を持つように移動して、光軸と垂直方向に像を変移させてズームレンズ全体が振動したときの像ぶれを補正している。即ち防振を行っている。
【手続補正６】
【補正対象書類名】明細書
【補正対象項目名】００２１
【補正方法】変更
【補正の内容】
【００２１】
実施例１、３において第４レンズ群Ｌ４は防振用の部分群ＩＳより構成している。実施例２において第４レンズ群Ｌ４は防振用の部分群ＩＳと負の屈折力のレンズより構成している。部分群ＩＳは正レンズと負レンズを接合した接合レンズよりなっている。尚、各実施例において第１レンズ群Ｌ１の物体側や最も像側のレンズ群の像側に屈折力の小さなレンズ群を付加しても良い。またテレコンバーターレンズやワイドコンバーターレンズ等を物体側や像側に配置しても良い。
【手続補正７】
【補正対象書類名】明細書
【補正対象項目名】００２３
【補正方法】変更
【補正の内容】
【００２３】
又、各実施例のズームレンズにおいては、ズーミングに際して、広角端に比べ望遠端での第３レンズ群と第４レンズ群との間隔が大きくなるように第３レンズ群と第４レンズ群を移動させている。これにより軸上光束径が増大する望遠端において、第３レンズ群Ｌ３から射出した軸上光束が収斂する距離を確保しやすくして、防振用の部分群ＩＳの小型化を容易にしている。また、各実施例のズームレンズでは、第１レンズ群Ｌ１の焦点距離をｆ１、第３レンズ群の焦点距離をｆ３とするとき、
４．３＜ｆ１／ｆ３＜６．０・・・（１）
なる条件式を満足している。
【手続補正８】
【補正対象書類名】明細書
【補正対象項目名】００２４
【補正方法】変更
【補正の内容】
【００２４】
条件式（１）は第１レンズ群Ｌ１と第３レンズ群Ｌ３の焦点距離の比を適切に設定するものである。条件式（１）の下限値を超えて第１レンズ群Ｌ１の焦点距離が短くなると、望遠端において球面収差が増大し、その補正が困難となる。又、第３レンズ群Ｌ３の正の屈折力が弱くなり第３レンズ群Ｌ３による軸上光束の収斂作用が小さくなり過ぎるために防振用の部分群ＩＳの小型化が困難になってくる。又上限値を超えて第３レンズ群Ｌ３の正の屈折力が強くなるとズーミングに伴う球面収差の変動を小さくするのが困難となる。
【手続補正９】
【補正対象書類名】明細書
【補正対象項目名】００２６
【補正方法】変更
【補正の内容】
【００２６】
４．４＜ｆ１／ｆ３＜５．０・・・（１ａ）
各実施例の光学系において、好ましくは次の条件式のうち１以上を満足するのが良い。それによれば各条件式に対応した効果が得られる。部分群ＩＳの焦点距離をｆＩＳ、望遠端における全系の焦点距離をｆｔとする。第２レンズ群Ｌ２の焦点距離をｆ２とする。
【手続補正１０】
【補正対象書類名】明細書
【補正対象項目名】００２８
【補正方法】変更
【補正の内容】
【００２８】
条件式（２）は、防振用の負の屈折力の部分群ＩＳの焦点距離を適切に設定するものである。条件式（２）の上限値を越えて、部分群ＩＳの負の屈折力が弱くなると、望遠端における防振敏感度を大きくするのが困難となる。又、下限値を越えて部分群ＩＳの負の屈折力が強くなりすぎると防振敏感度が大きくなりすぎて防振を精度良く行うのが困難となるので良くない。
【手続補正１１】
【補正対象書類名】明細書
【補正対象項目名】００４０
【補正方法】変更
【補正の内容】
【００４０】
[数値実施例１]
単位 mm
面データ
面番号       r        d      nd         νd
1        256.516    2.00   1.84666    23.9           
2         80.205    8.58   1.77250    49.6           
3        770.556    0.15                             
4         51.899    5.86   1.80400    46.6           
5         88.386  (可変)                             
6*        96.827    0.05   1.52421    51.4           
7         61.208    1.50   1.88300    40.8           
8         16.132    8.17                             
9        -44.889    1.20   1.75500    52.3           
10         18.254    6.26   1.83400    37.2           
11        137.231    0.15                             
12         75.532    3.50   1.80518    25.4           
13       -125.489    3.69                             
14        -23.650    1.20   1.60300    65.4           
15        -49.394  (可変)                             
16(絞り)    ∞       0.34                             
17         29.857    5.16   1.49700    81.5           
18        240.448    0.15                             
19         33.821    1.60   1.83400    37.2           
20         18.930   11.32   1.49700    81.5           
21       -223.501    0.15                             
22*        73.830    8.32   1.77250    49.6           
23        -23.883    1.50   1.83400    37.2           
24        -60.570  (可変)                             
25        -74.277    4.16   1.80809    22.8           
26        -21.944    1.20   1.81600    46.6           
27*        45.883  (可変)                             
28         35.978    7.44   1.59240    68.3           
29        -55.746    0.15                             
30        148.721    4.39   1.49700    81.5           
31        -54.487    1.50   1.84666    23.9           
32         51.278    1.62                             
33*        80.176    4.48   1.85006    40.2           
34       -227.700  (可変)                             
像面        ∞   
非球面データ
第6面
K = 0.00000e+000  A 4= 1.39226e-005  A 6=-1.09653e-008  A 8=-4.33385e-012  A10= 5.30223e-014  
第22面
K = 0.00000e+000  A 4=-9.43667e-006  A 6=-1.73083e-009  A 8= 7.90583e-012  A10=-1.65238e-014  
第27面
K = 0.00000e+000  A 4=-4.95882e-006  A 6=-4.53732e-009  A 8= 3.85212e-011  A10=-1.07546e-013  
第33面
K = 0.00000e+000  A 4=-7.62804e-006  A 6=-7.21323e-009  A 8=-2.06486e-012  A10=-4.24052e-014  
各種データ
ズーム比      2.75 
広角     中間     望遠
焦点距離      24.70    36.42    67.88  
Fナンバー      2.91     2.91     2.91  
半画角（度）  41.22    30.71    17.68  
像高          21.64    21.64    21.64  
レンズ全長   164.87   172.85   196.79  
BF            39.07    44.44    54.56  
d 5            2.76    12.54    32.92  
d15           14.94     7.78     1.22  
d24            0.96     5.23    10.39  
d27           11.37     7.10     1.94  
d34           39.07    44.44    54.56  
ズームレンズ群データ
群  始面    焦点距離  
1    1     122.23  
2    6     -15.38  
3   16      26.71  
4   25     -33.77  
5   28      45.84  
【手続補正１２】
【補正対象書類名】明細書
【補正対象項目名】００４１
【補正方法】変更
【補正の内容】
【００４１】
[数値実施例２]
単位 mm
面データ
面番号       r        d      nd         νd
1       1018.919    1.80   1.84666    23.9           
2         84.890    8.21   1.83481    42.7           
3       3143.890    0.15                             
4         59.262    5.79   1.83481    42.7           
5        117.304  (可変)                             
6*        98.182    0.05   1.52421    51.4           
7         53.766    1.20   1.83481    42.7           
8         16.625    7.87                             
9        -43.505    1.00   1.77250    49.6           
10         17.574    4.72   1.83400    37.2           
11         63.101    0.15                             
12         53.147    4.51   1.80518    25.4           
13        -72.090    3.72                             
14        -20.873    1.20   1.77250    49.6           
15        -33.228  (可変)                             
16(絞り)    ∞       0.49                             
17         31.905    4.45   1.49700    81.5           
18        105.601    0.15                             
19         37.826    1.60   1.84666    23.9           
20         23.210   10.83   1.49700    81.5           
21        -68.228    0.15                             
22*        71.333    4.07   1.69680    55.5           
23       -148.072  (可変)                             
24       -269.960    5.65   1.84666    23.9           
25        -19.352    1.20   1.83400    37.2           
26         97.049    3.33                             
27        -92.477    1.30   1.83400    37.2           
28        242.849  (可変)                             
29        115.000    6.08   1.49700    81.5           
30        -44.176    0.15                             
31         90.778    6.19   1.49700    81.5           
32        -55.146    0.00                             
33        -55.146    2.00   1.84666    23.9           
34*       169.829    0.96                             
35        329.543    3.81   1.77250    49.6           
36        -87.758  (可変)                             
像面        ∞   
非球面データ
第6面
K = 0.00000e+000  A 4= 1.47329e-005  A 6=-5.50082e-009  A 8=-3.25716e-011  A10= 1.59003e-013  
第22面
K = 0.00000e+000  A 4=-8.23158e-006  A 6=-6.80915e-009  A 8= 1.43495e-012  A10=-3.20158e-014  
第34面
K = 0.00000e+000  A 4= 3.77114e-006  A 6=-7.83814e-010  A 8= 3.91683e-012  A10=-4.01873e-015  
各種データ
ズーム比      2.76 
広角     中間     望遠
焦点距離      24.70    34.88    68.18  
Fナンバー      2.91     2.91     2.91  
半画角（度）  41.22    31.81    17.61  
像高          21.64    21.64    21.64  
レンズ全長   165.79   174.26   199.67  
BF            38.47    42.81    58.00  
d 5            3.03    14.26    33.80  
d15           17.78    10.67     1.36  
d23            1.96     6.12    12.86  
d28           11.79     7.63     0.89  
d36           38.47    42.81    58.00  
ズームレンズ群データ
群  始面    焦点距離  
1    1     129.97  
2    6     -17.09  
3   16      28.36  
4   24     -41.20  
5   29      49.69  
【手続補正１３】
【補正対象書類名】明細書
【補正対象項目名】００４２
【補正方法】変更
【補正の内容】
【００４２】
[数値実施例３]
単位 mm
面データ
面番号       r        d      nd         νd
1        371.811    2.00   1.84666    23.9           
2         75.128    9.81   1.83481    42.7           
3       1977.368    0.15                             
4         56.364    5.52   1.83481    42.7           
5         96.407  (可変)                             
6*       111.475    0.05   1.52421    51.4           
7         61.920    1.50   1.88300    40.8           
8         16.594    8.08                             
9        -38.790    1.20   1.77250    49.6           
10         18.778    5.47   1.83400    37.2           
11        740.429    0.15                             
12         89.499    3.52   1.80518    25.4           
13        -81.521    3.18                             
14        -22.389    1.20   1.61800    63.3           
15        -52.289  (可変)                             
16(絞り)    ∞       0.49                             
17         29.528    4.57   1.49700    81.5           
18        104.655    0.15                             
19         31.270    1.60   1.83400    37.2           
20         18.877   12.55   1.49700    81.5           
21       -108.113    0.15                             
22*        58.016    6.59   1.72916    54.7           
23        -37.356    1.50   1.83400    37.2           
24        -80.142  (可変)                             
25       -113.873    4.06   1.80809    22.8           
26        -22.801    1.20   1.83481    42.7           
27*        47.494  (可変)                             
28         67.541    5.07   1.59240    68.3           
29        -38.417    0.15                             
30       -106.637    3.42   1.49700    81.5           
31        -30.155    1.50   1.84666    23.9           
32        206.883    4.03                             
33*       135.112    2.87   1.85006    40.2           
34       -105.539  (可変)                             
像面        ∞   
非球面データ
第6面
K = 0.00000e+000  A 4= 1.53494e-005  A 6=-5.20845e-009  A 8=-4.15827e-011  A10= 1.50211e-013  
第22面
K = 0.00000e+000  A 4=-1.09937e-005  A 6=-2.18767e-009  A 8=-1.23509e-011  A10= 3.51553e-014  
第27面
K = 0.00000e+000  A 4=-4.73774e-006  A 6= 1.89462e-009  A 8=-3.41239e-011  A10= 1.42519e-013  
第33面
K = 0.00000e+000  A 4=-4.73629e-006  A 6=-2.17487e-009  A 8= 9.92522e-012  A10=-2.20403e-014  
各種データ
ズーム比      3.22 
広角     中間     望遠
焦点距離      24.70    39.67    79.43  
Fナンバー      2.91     2.91     2.91  
半画角（度）  41.22    28.61    15.24  
像高          21.64    21.64    21.64  
レンズ全長   161.98   171.74   200.99  
BF            38.35    46.17    57.64  
d 5            2.51    14.41    39.54  
d15           17.72     7.77     0.41  
d24            1.02     5.87    10.52  
d27           10.64     5.79     1.14  
d34           38.35    46.17    57.64  
ズームレンズ群データ
群  始面    焦点距離  
1    1     122.04  
2    6     -15.92  
3   16      26.21  
4   25     -38.11  
5   28      57.05